(57)【要約】【課題】保護が要求されるコンテンツデータのサーバにおける格納場所を隠すことができるコンテンツ配信システムを提供する。【解決手段】インターネット端末１０から第２サーバ装置３０の第２コンテンツデータ配信サーバ３１に第２コンテンツデータを特定する第２コンテンツデータ特定キー情報を送信し、第２コンテンツデータ配信サーバ３１でその第２コンテンツデータ特定キー情報に基づいて該当する第２コンテンツデータを検索取得してリクエスト元のインターネット端末１０に配信する。【選択図】  図３
2006120050.tif 000002
【特許請求の範囲】
【請求項１】
クライアントと、第１コンテンツデータ配信サーバと、第２コンテンツデータ配信サーバと、メタファイル配信サーバを互いにネットワーク接続したコンテンツ配信システムであって、
前記クライアントは、第１ブラウザ及び第２ブラウザを有し、
前記第１コンテンツデータ配信サーバは、前記メタファイル配信サーバの配信元情報を含む第１コンテンツデータを格納した第１コンテンツデータ記憶手段を有し、
前記メタファイル配信サーバは、前記第２コンテンツデータ配信サーバの配信元情報及び前記第２コンテンツデータを特定する第２コンテンツデータ特定キー情報を有したメタファイルを格納するメタファイル記憶手段を有し、
前記第２コンテンツデータ配信サーバは、第２コンテンツデータをオリジナルのファイル形式で前記第２コンテンツデータ特定キー情報に関連づけして記憶する第２コンテンツデータ記憶手段を有し、
前記クライアントの第１ブラウザは、前記第１コンテンツデータ配信サーバに対して第１コンテンツデータの配信を要求するリクエストを送信し、
前記第１コンテンツデータ配信サーバは、前記クライアントからの第１コンテンツデータの配信を要求するリクエストに応じて第１コンテンツデータ記憶手段から該当する第１コンテンツデータを検索取得し、該検索取得した第１コンテンツデータを前記クライアントに配信し、
前記クライアントの第１ブラウザは、前記第１コンテンツデータ配信サーバから配信を受けた第１コンテンツデータを前記クライアントの表示部に表示すると共に、前記第１コンテンツデータに含まれている前記メタファイル配信サーバの配信元情報を用いて前記メタファイル配信サーバに前記メタファイルの配信を要求するリクエストを生成し、該生成したリクエストを前記メタファイル配信サーバに送信し、
前記メタファイル配信サーバは、前記クライアントからの前記メタファイルの配信を要求するリクエストに応じて前記メタファイル記憶手段から該当するメタファイルを検索取得し、前記クライアントに配信し、
前記クライアントの第２ブラウザは、前記メタファイル配信サーバから配信を受けたメタファイルに含まれている前記第２コンテンツデータ配信サーバの配信元情報及び前記第２コンテンツデータ特定キー情報を用いて前記第２コンテンツデータ配信サーバに前記第２コンテンツデータの配信を要求するリクエストを生成し、該生成したリクエストを前記第２コンテンツデータ配信サーバに送信し、
前記第２コンテンツデータ配信サーバは、前記クライアントからの前記第２コンテンツデータの配信を要求するリクエストを受けると、該リクエストに含まれている前記第２コンテンツデータ特定キー情報に基づき前記第２コンテンツデータ記憶手段から該当する第２コンテンツデータを検索取得し、該検索取得した第２コンテンツデータをオリジナルのファイル形式から独自のファイル形式に変換し暗号化してクライアントに配信し、
前記クライアントの第２ブラウザは、前記第２コンテンツデータ配信サーバから配信を受けた第２コンテンツデータを独自のファイル形式に復号化し、前記表示部に表示することを特徴とするコンテンツ配信システム。
【発明の詳細な説明】
【技術分野】
【０００１】
本発明は、コンテンツ配信システムに関し、特に、ネットワークを介してサーバからクライアントにコンテンツデータを配信するコンテンツ配信システムに関する。
【背景技術】
【０００２】
図４は、従来のコンテンツ配信システムを示すシステム構成図である。
【０００３】
図中のコンテンツ配信システム１００は、クライアント・サーバシステムによって構成されている。クライアント１１０は、インターネットやイントラネットなどのネットワーク１０１を介してサーバ１２０との間で双方向通信可能なネットワーク端末であり、汎用の閲覧ソフトであるＷｅｂブラウザ１１１を有している。サーバ１２０は、ネットワーク１０１上に公開されたＷｅｂサイトを有するＷｅｂサーバであり、その内部には、ＨＴＭＬやＸＭＬなどの所定の記述言語で作成されたＷｅｂサイトを構成するコンテンツデータが格納されている。
【０００４】
サーバ１２０とクライアント１１０との間におけるコンテンツデータの配信は、ＨＴＴＰやＦＴＰなどの一般的なインターネットプロトコルを使用して行われ、ＨＴＭＬ標準の記述方式が採用されている。
【０００５】
例えば、サーバ１２０からクライアント１１０にコンテンツデータの配信を受ける場合、クライアント１１０のＷｅｂブラウザ上でコンテンツデータの格納場所を示す情報、例えばサーバ１２０のＷｅｂサイトを指定するＵＲＬを入力し、クライアント１１０からサーバ１２０にコンテンツデータの配信を要求するリクエストを送信する。
【０００６】
サーバ１２０は、コンテンツデータの格納場所を示す情報に基づいて、要求されたコンテンツデータをサーバ１２０の記憶手段１２１や他のデータベース等から検索・取得し、そのままのファイル形式でリクエスト元のクライアントに配信する。サーバ１２０から配信されたコンテンツデータは、Ｗｅｂブラウザ１１１によってＷｅｂサイトとしてクライアント１１０の表示部に表示される。
【０００７】
クライアント１１０の表示部に表示されるＷｅｂサイトは、ＨＴＭＬ標準の記述方式に沿ってリンク先を示すファイルパスを記載することによって、他のコンテンツデータへのリンクを貼ることができ、いわゆるハイパーテキスト化することができる。
【０００８】
Ｗｅｂサイトをハイパーテキスト化すると、マウスポインタの位置をリンクに合わせてクリックするだけで、リンク先に飛んで他のコンテンツデータを表示することができる。
【０００９】
汎用のＷｅｂブラウザ１１１は、マウスポインタをイメージ上に移動させると、リンク先を示す配信元情報がファイルパスとしてＷｅｂブラウザ１１１のステータスバーやメニューバーに表示されるように構成されている。
【００１０】
また、ファイルパスは、Ｗｅｂページをソースコードで表示することによって、例えば＜img src="http://www.***/**/**.gif"＞のように見ることができ、リンク先のコンテンツデータが格納されている場所を容易に特定することができた。
【００１１】
尚、従来より、ハイパーテキストを利用した種々の技術が複数提案されている（例えば、特許文献１参照）。
【００１２】
【特許文献１】特開平７−４４４４７号公報
【発明の開示】
【発明が解決しようとする課題】
【００１３】
上述のように、従来のコンテンツ配信システム１００では、サーバ１２０は、クライアント１１０からコンテンツデータが格納されている場所を示す情報の提供を受けることで、リクエストされた第２コンテンツデータを特定して配信していた。したがって、コンテンツデータが格納されている場所の情報をクライアントに示す必要があった。
【００１４】
しかしながら、コンテンツデータが格納されている場所の情報がクライアント側で明らかになると、ＨＴＴＰなどの一般的なインターネットプロトコルを利用して、そのコンテンツデータをオリジナルと同等のファイル形式で入手することができる。したがって、コンテンツデータを流出・流用される危険性があり、コンテンツデータの二次的な利用を有効に防ぐことが困難であった。
【００１５】
尚、Ｗｅｂブラウザ上でのソース表示を禁止することによってＷｅｂブラウザ上でコンテンツデータの配信元情報の表示を禁止することは可能であったが、例えば専用のツールを用いてネットワーク上のトラフィックを監視することにより容易に入手することができた。
【００１６】
また、従来のコンテンツ配信システム１００は、サーバ１２０がクライアント１１０からリクエストされたコンテンツデータをそのままのファイル形式でクライアント１１０に配信していた。
【００１７】
したがって、配信されるコンテンツデータが、例えば一般的なファイル形式のデータである場合には、クライアント１１０側でエディタを使用して内容を改ざん・流用することができ、重要なデータの漏洩や、著作権の侵害を防ぐことはできないという問題があった。
【００１８】
本発明は、これらの問題に鑑みなされたものであり、その目的は、保護が要求されるコンテンツデータのサーバにおける格納場所を隠すことができるコンテンツ配信システムを提供することにある。
【課題を解決するための手段】
【００１９】
上記課題を解決する請求項１に記載のコンテンツ配信システムの発明は、クライアントと、第１コンテンツデータ配信サーバと、第２コンテンツデータ配信サーバと、メタファイル配信サーバを互いにネットワーク接続したコンテンツ配信システムであって、クライアントは、第１ブラウザ及び第２ブラウザを有し、第１コンテンツデータ配信サーバは、メタファイル配信サーバの配信元情報を含む第１コンテンツデータを格納した第１コンテンツデータ記憶手段を有し、メタファイル配信サーバは、第２コンテンツデータ配信サーバの配信元情報及び第２コンテンツデータを特定する第２コンテンツデータ特定キー情報を有したメタファイルを格納するメタファイル記憶手段を有し、第２コンテンツデータ配信サーバは、第２コンテンツデータをオリジナルのファイル形式で第２コンテンツデータ特定キー情報に関連づけして記憶する第２コンテンツデータ記憶手段を有する。
【００２０】
そして、クライアントの第１ブラウザは、第１コンテンツデータ配信サーバに対して第１コンテンツデータの配信を要求するリクエストを送信し、第１コンテンツデータ配信サーバは、クライアントからの第１コンテンツデータの配信を要求するリクエストに応じて第１コンテンツデータ記憶手段から該当する第１コンテンツデータを検索取得し、その検索取得した第１コンテンツデータをクライアントに配信する。
【００２１】
クライアントの第１ブラウザは、第１コンテンツデータ配信サーバから配信を受けた第１コンテンツデータをクライアントの表示部に表示すると共に、第１コンテンツデータに含まれているメタファイル配信サーバの配信元情報を用いてメタファイル配信サーバにメタファイルの配信を要求するリクエストを生成し、その生成したリクエストをメタファイル配信サーバに送信する。
【００２２】
メタファイル配信サーバは、クライアントからのメタファイルの配信を要求するリクエストに応じてメタファイル記憶手段から該当するメタファイルを検索取得し、クライアントに配信する。
【００２３】
クライアントの第２ブラウザは、メタファイル配信サーバから配信を受けたメタファイルに含まれている第２コンテンツデータ配信サーバの配信元情報及び第２コンテンツデータ特定キー情報を用いて第２コンテンツデータ配信サーバに第２コンテンツデータの配信を要求するリクエストを生成し、その生成したリクエストを第２コンテンツデータ配信サーバに送信する。
【００２４】
第２コンテンツデータ配信サーバは、クライアントからの第２コンテンツデータの配信を要求するリクエストを受けると、そのリクエストに含まれている第２コンテンツデータ特定キー情報に基づき第２コンテンツデータ記憶手段から該当する第２コンテンツデータを検索取得し、その検索取得した第２コンテンツデータをオリジナルのファイル形式から独自のファイル形式に変換し暗号化してクライアントに配信する。
【００２５】
クライアントの第２ブラウザは、第２コンテンツデータ配信サーバから配信を受けた第２コンテンツデータを独自のファイル形式に復号化し、表示部に表示することを特徴とする。
【発明の効果】
【００２６】
請求項１の発明によると、第２コンテンツデータ配信サーバは、第２コンテンツデータの配信を要求するリクエストに含まれている第２コンテンツデータ特定キー情報に基づいて第２コンテンツデータ記憶手段から該当する第２コンテンツデータを検索取得してクライアントに配信する処理を行う。
【００２７】
したがって、従来のように第２コンテンツデータが格納されている場所を直接示す情報をクライアントに教えることなく、第２コンテンツデータ配信サーバ側でクライアントからリクエストされた第２コンテンツデータを特定することができ、リクエスト元のクライアントに配信することができる。
【００２８】
したがって、保護が要求されるコンテンツデータを第２コンテンツデータとした場合に、第２コンテンツデータの第２コンテンツデータ配信サーバにおける格納場所をクライアント側から隠すことができる。
【００２９】
よって、第２コンテンツデータの格納場所の推測、断定を不可能とし、第２コンテンツデータがオリジナルと同等のファイル形式で第２コンテンツデータ配信サーバから取り出されてクライアント側に流出するのを防ぐことができる。
【００３０】
また、第２コンテンツデータ配信サーバは、第２コンテンツデータを独自のファイル形式に変換し、更に暗号化してからクライアントに配信し、クライアントは、第２ブラウザによって第２コンテンツデータを独自のファイル形式に復号化してクライアントの表示部に表示する。
【００３１】
したがって、クライアントに対して、従来のようなオリジナルのファイル形式ではなく、独自のファイル形式に変換された第２コンテンツデータを受け渡すことができる。したがって、クライアント側でエディタ等の使用による内容の改ざんを防ぎ、例えば悪意のある利用者あるいは第三者による情報の漏洩や著作権の侵害から第２コンテンツデータを適切に保護することができる。
【発明を実施するための最良の形態】
【００３２】
次に、本発明の実施の形態について図に基づいて説明する。
【００３３】
図１は、本実施の形態におけるコンテンツ配信システムのシステム構成図、図２は、コンテンツ配信システムのブロック図、図３は、コンテンツ配信方法を説明するフローチャートである。
【００３４】
本実施の形態におけるコンテンツ配信システム１は、図１に示すように、インターネット端末（クライアント）１０と、第１サーバ装置（第１コンテンツデータ配信サーバ及びメタファイル配信サーバ）２０と、第２サーバ装置３０（第２コンテンツデータ配信サーバ）を有している。
【００３５】
インターネット端末１０は、モニターなどの表示部、キーボードやマウス等の入力手段、演算処理を行う制御手段、ハードディスクやメモリなどの記憶手段、モデムやＬＡＮなどのインターネット（ネットワーク）２への接続手段等を有した、例えばパソコンやＰＤＡ、ブラウザフォン等のハードウエアとＯＳ等のソフトウエアによって構成されており、汎用ブラウザ（第１ブラウザ）１１と専用ブラウザ（第２ブラウザ）１２の２つの閲覧ソフトがそれぞれ起動可能な状態でインストールされている。
【００３６】
汎用ブラウザ１１は、いわゆるＷｅｂブラウザであり、ＨＴＴＰやＦＴＰなどの一般的なインターネットプロトコルを利用してインターネット２上に公開されたＷｅｂサーバのＷｅｂサイトにアクセスし、ＨＴＭＬやＸＭＬ等の所定の記述言語により記述されたテキスト文書や画像データなどのコンテンツデータを取得し、表示部に表示する処理を行う。また、汎用ブラウザ１１は、ＨＴＴＰＳ等の一般的な暗号化プロトコルを利用して第１サーバ装置２０のメタファイル配信サーバ２５にメタファイルの配信を要求し、配信されたメタファイルを復号化する処理を行う。
【００３７】
専用ブラウザは、インターネット端末１０がメタファイル配信サーバ２５からメタファイルの配信を受けることによって自動的に起動し、配信されたメタファイルの解析を行い、そのメタファイルの情報に基づき第２サーバ装置３０の第２コンテンツデータ配信サーバ３１にアクセスし、第２コンテンツデータの配信を要求するリクエストを行い、そのリクエストに応じて配信された第２コンテンツデータを復号化してインターネット端末１０の表示部に表示する処理を行う。
【００３８】
第１サーバ装置２０は、第１コンテンツデータ配信サーバ２１と、メタファイル配信サーバ２５の２つのサーバとして機能するように構成されている。
【００３９】
第１コンテンツデータ配信サーバ２１は、第１コンテンツデータを記憶する第１コンテンツデータ記憶手段２２と、汎用ブラウザ１１によってインターネット端末１０から第１コンテンツデータの配信を要求するＨＴＴＰリクエストを受けた場合に第１コンテンツデータ記憶手段２２から該当する第１コンテンツデータを検索取得する第１コンテンツデータ検索取得手段２３と、その検索取得した第１コンテンツデータをＨＴＴＰレスポンスとしてリクエスト元のインターネット端末に配信する第１コンテンツデータ配信手段２４を有する。
【００４０】
第１コンテンツデータは、汎用ブラウザ１１によってインターネット端末１０に表示される、ＨＴＭＬにより記述されたテキスト文書や画像データなどのデジタルデータによって構成されており、メタファイル配信元情報が含まれている。
【００４１】
メタファイル配信元情報は、従来のファイルパスとは異なり、メタファイル配信サーバ３１に対してメタファイルの配信を要求するのに必要な情報を独自のフォーマットによってファイル化したものであり、ＨＴＭＬ、スクリプト、あるいはプログラムを利用して第１コンテンツデータのページ定義内でメタファイルを配信する記述がなされており、第１コンテンツデータをインターネット端末１０に表示した場合に、ページ定義されたリンク情報として表示されるように構成されている。
【００４２】
本実施の形態では、第２コンテンツデータの取得を希望する場合にクリックするリンクボタンとして第１コンテンツデータ中に表示され、クリックすることによってメタファイル配信サーバ３１にメタファイルの配信を要求するリクエストを暗号化して送信するように構成されている。
【００４３】
メタファイル配信サーバ２５は、暗号化されたメタファイルを記憶するメタファイル記憶手段２６と、インターネット端末１０からメタファイルの配信を要求するリクエストを受けた場合にメタファイル記憶手段２６から該当するメタファイルを検索取得するメタファイル検索取得手段２７と、その検索取得したメタファイルをリクエスト元のインターネット端末１０に配信するメタファイル配信手段２８を有している。
【００４４】
復号化されたメタファイルは、第２サーバ装置３０のサーバ装置名（例えば、HOST=www.***.com）及びアクセスポート番号（例えば、PORT=****2）を有した第２サーバ配信元情報と、第２コンテンツデータにアクセスするアクセスキー（例えば、KEY=mosquite212109）を有したオリジナルのキー情報（第２コンテンツデータ特定キー情報）を保持している。これらの第２サーバ配信元情報とキー情報は、専用ブラウザ１２が第２コンテンツデータの配信を要求するリクエストを作成する際に用いられる。
【００４５】
第２サーバ装置３０の第２コンテンツデータ配信サーバ３１は、複数の第２コンテンツデータをオリジナルのファイル形式でキー情報に関連づけして記憶する第２コンテンツデータ記憶手段３２と、インターネット端末１０から第２コンテンツデータの配信を要求するリクエストを受けた場合に、リクエストに含まれているキー情報に基づいて第２コンテンツデータ記憶手段３２内を検索し、該当する第２コンテンツデータを取得する第２コンテンツデータ検索取得手段３３と、その検索取得した第２コンテンツデータをオリジナルのファイル形式から独自のファイル形式に変換し、独自のプロトコルにより暗号化してリクエスト元のインターネット端末に配信する第２コンテンツデータ配信手段３４を有している。
【００４６】
第２コンテンツデータは、専用ブラウザ１２によってインターネット端末の表示部に表示されるコンテンツデータであり、保護が要求されるコンテンツデータ、より詳細には、オリジナルと同等のファイル形式で流出したり、インターネット端末側でエディタ等を使用して内容が改ざん・流用されるのを防ぐ必要があるコンテンツデータである。
【００４７】
第２コンテンツデータは、テキストデータや画像データ等のデジタルデータによって構成されており、そのオリジナルは、一般的なファイル形式、例えば、リッチtextファイル、cvsファイル、pdfファイル、gifファイルなどのファイル形式で第２コンテンツデータ記憶手段３２に格納されている。したがって、コンテンツデータの管理者等は、エディタによってオリジナルのコンテンツデータの内容を修正等でき、サーバ側で第２コンテンツデータの登録や管理を容易に行うことができる。
【００４８】
一方、第２サーバ装置３０の第２コンテンツデータ配信サーバ３１からインターネット端末１０に配信される第２コンテンツデータは、第２コンテンツデータ配信サーバ３１の第２コンテンツデータ配信手段３４によってオリジナルのファイル形式から独自のファイル形式に変換されて更に暗号化されたものであり、専用ブラウザ１２を使用しなければ復号化して表示部に表示することができない。したがって、インターネット端末１０側では、オリジナルと同等のファイル形式で入手することや、エディタ等を使用して第２コンテンツデータの内容を改ざん・流用することができない状態となっている。
【００４９】
次に、上記構成を有するコンテンツ配信システム１を用いたコンテンツ配信方法について図３のフローチャートに基づき以下に説明する。
【００５０】
まず、インターネット端末１０から第１サーバ装置２０のＷｅｂサイトにアクセスする（ステップＳ１）。Ｗｅｂサイトへのアクセスは、汎用ブラウザを起動して第１サーバ装置２０のＵＲＬを直接入力したり、表示部に表示されているリンクをクリックすることによって行われる。
【００５１】
第１サーバ装置２０は、インターネット端末１０からＷｅｂサイトへのアクセスを要求するリクエストを受けると、第１コンテンツデータ配信サーバ２１が第１コンテンツデータ記憶手段２２から該当する第１コンテンツデータを検索取得し、リクエスト元のインターネット端末１０に配信する（ステップＳ２）。
【００５２】
インターネット端末１０が第１サーバ装置２０から第１コンテンツデータの配信を受けると、汎用ブラウザ１１は、その第１コンテンツデータをインターネット端末１０の表示部に表示させる処理を行う。この処理により、表示部には第１コンテンツデータが表示され、その第１コンテンツデータの中に、保護が要求される第２コンテンツデータの取得を希望する場合にクリックするように指示されたクリックボタンが表示される。
【００５３】
汎用ブラウザ１１を操作してこのクリックボタンをクリックすると、汎用ブラウザ１１は、第１コンテンツデータに含まれているメタファイル配信元情報に基づき第１サーバ装置１０のメタファイル配信サーバ２５にメタファイルの配信を要求するリクエストを作成し、そのリクエストをＨＴＴＰＳなどの一般的な暗号化プロトコルを利用して暗号化し、インターネット端末１０からメタファイル配信サーバ２５に送信する処理を行う（ステップＳ３）。
【００５４】
メタファイル配信サーバ２５は、インターネット端末１０からメタファイルの配信を要求するリクエストを受けると、そのリクエストを復号化し、リクエストに含まれている情報に基づいてメタファイル記憶手段２６から該当するメタファイルを検索取得し、リクエスト元のインターネット端末に配信する（ステップＳ４）。
【００５５】
インターネット端末１０が第１サーバ装置２０のメタファイル配信サーバ２５からメタファイルの配信を受けると、専用ブラウザ１２が自動的に立ち上がる。専用ブラウザ１２は、メタファイルの解析を行い、メタファイルに含まれている第２サーバ配信元情報とキー情報を取得する。そして、その第２サーバ配信元情報とキー情報を用いて、第２サーバ装置３０に第２コンテンツデータの配信を要求するリクエストを作成し、そのリクエストを独自のプロトコルにより暗号化してインターネット端末１０から第２サーバ装置３０に送信する（ステップＳ６）。
【００５６】
第２サーバ装置３０は、第２コンテンツデータの配信を要求するリクエストを受けると、復号化し、そのリクエストに含まれているキー情報を用いて第２コンテンツデータ記憶手段３２内を検索し、該当する第２コンテンツデータを取得する。そして、その検索取得した第２コンテンツデータをオリジナルのファイル形式から独自のファイル形式に変換し、独自のプロトコルを利用して暗号化し、リクエスト元のインターネット端末１０に配信する（ステップＳ７）。
【００５７】
専用ブラウザ１２は、インターネット端末１０が第２サーバ装置３０から暗号化された第２コンテンツデータの配信を受けると、その第２コンテンツデータを独自のファイル形式に復号化し、インターネット端末１０の表示部に表示させる（ステップＳ８）。
【００５８】
上記構成を有するコンテンツ配信システム１によれば、インターネット端末１０から第２サーバ装置３０の第２コンテンツデータ配信サーバ３１に第２コンテンツデータを特定するキー情報を送信し、第２コンテンツデータ配信サーバ３１でそのキー情報に基づいて該当する第２コンテンツデータを検索取得してリクエスト元のインターネット端末１０に配信する処理を行う。
【００５９】
したがって、従来のように第２コンテンツデータが格納されている場所を直接示す情報をインターネット端末１０に教えることなく、第２コンテンツデータ配信サーバ３１側でインターネット端末１０からリクエストされた第２コンテンツデータを特定することができ、リクエスト元のインターネット端末１０に配信することができる。
【００６０】
したがって、保護が要求されるコンテンツデータである第２コンテンツデータの格納場所をインターネット端末１０側から隠すことができ、第２コンテンツデータがオリジナルと同等のファイル形式で第２コンテンツデータ配信サーバ３１から取り出されてインターネット端末１０側に流出するのを防ぐことができる。
【００６１】
また、第２コンテンツデータ配信サーバ３１は、第２コンテンツデータ特定キー情報によってリクエストされた第２コンテンツデータを独自のファイル形式に変換し、更に独自のプロトコルによって暗号化してからインターネット端末１０に配信し、インターネット端末１０は、配信された第２コンテンツデータを専用ブラウザ１２によって独自のファイル形式に復号化し、インターネット端末１０の表示部に表示する。
【００６２】
したがって、インターネット端末１０に対して、従来のようなオリジナルではなく、独自のファイル形式に変換された第２コンテンツデータを受け渡すことができ、インターネット端末１０側でエディタ等の使用による内容の改ざんを防ぐことができる。これにより、例えば悪意のある利用者あるいは第三者による情報の漏洩や著作権の侵害から第２コンテンツデータを適切に保護することができる。
【００６３】
尚、本発明は、上述の実施の形態に限定されるものではなく、本発明の趣旨を逸脱しない範囲で種々の変更が可能である。例えば、上述の実施の形態では、インターネット２を利用した場合を例に説明したが、他のネットワークを利用したものであってもよい。
【００６４】
また、上述の実施の形態では、第１コンテンツデータ配信サーバ２１とメタファイル配信サーバ２５を第１サーバ装置２０に設けた場合を例に説明したが、２つのサーバ装置に分けて設けてもよい。
【図面の簡単な説明】
【００６５】
【図１】本実施の形態におけるコンテンツ配信システムのシステム構成図である。
【図２】コンテンツ配信システムのブロック図である。
【図３】コンテンツ配信方法を説明するフローチャートである。
【図４】従来のコンテンツ配信システムのシステム構成図である。
【符号の説明】
【００６６】
１  コンテンツ配信システム
２  インターネット（ネットワーク）
１０  インターネット端末（クライアント）
１１  汎用ブラウザ（第１ブラウザ）
１２  専用ブラウザ（第２ブラウザ）
２０  第１サーバ装置
２１  第１コンテンツデータ配信サーバ
２５  メタファイル配信サーバ
３０  第２サーバ装置
３１  第２コンテンツデータ配信サーバ
３２  第２コンテンツデータ記憶手段
３３  第２コンテンツデータ検索取得手段
３４  第２コンテンツデータ配信手段
【図１】
2006120050.tif 000003
【図２】
2006120050.tif 000004
【図３】
2006120050.tif 000005
【図４】
2006120050.tif 000006
【手続補正書】
【提出日】平成16年12月28日(2004.12.28)
【手続補正１】
【補正対象書類名】明細書
【補正対象項目名】００４１
【補正方法】変更
【補正の内容】
【００４１】
メタファイル配信元情報は、ＨＴＭＬ、スクリプト、あるいはプログラムを利用して第１コンテンツデータのページ定義内でメタファイル配信サーバ３１にメタファイルの配信を要求する記述がなされており、第１コンテンツデータをインターネット端末１０に表示した場合に、ページ定義されたリンク情報として表示されるように構成されている。